(57)【要約】［課題］  従来から眼鏡は視力矯正の道具であり、目の悪い人は不自由だと言われ、肩身の狭い思いをしてきた。しかし長寿、高齢化の時代、映像社会に入り、日本人の３人に２人は眼鏡を必要とするに至った。確かに眼鏡そのものは軽く丈夫でデザイン性にも優れたものへと進化して来た。視力矯正の為のレンズ機能も上がり、使用上も便利になってきている。しかし、レンズの機能的進歩に対し、フレームの進化が劣っている。軽くて強固でデザインの優れたものにはなっているが、素材の開発がなされていなかったのである。本発明はこの素材にゲルマニウムやラジウム鉱物質を含有したものを使用する事による眼鏡を提供するものである。［解決手段］  本発明は、眼鏡の持つ使用特性（人の体で頭部に接する唯一の半強制金属）とゲルマニウムの持つ人間の体内微弱電流の調整とが結合できる事でゲルマニウム含有健康眼鏡が提供できるようになった。これにより、多くの人が目を酷使する事により苦しんでいた、眼精疲労、めまい、頭痛、肩こり、首の凝り、顔の痙攣、こめかみの痛み、鼻炎などに効くものである。【特許請求の範囲】
【請求項１】
眼鏡の構成体の一部であるモダンにゲルマニウム及びラジウムを含有する物質からなることを特徴とする健康眼鏡。
【請求項２】
眼鏡の構成体の一部であるパットにゲルマニウム及びラジウムを含有する物質からなる事を特徴とする健康眼鏡。
【請求項３】
眼鏡の構成体の一部であるテンプルにゲルマニウム及びラジウムを含有する物質からなる事を特徴とする健康眼鏡。
【請求項４】
眼鏡の構成体の一部であるテンプルの内側にゲルマニウム及びラジウム含有する物質の魂を付着させる事を特徴とする健康眼鏡。
【請求項５】
眼鏡の構成体の一部であるテンプルが合金製のストロー状の中にゲルマニウム及びラジウム粉状の物を挿入する事を特徴とする健康眼鏡。
【請求項６】
眼鏡の構成体の一部であるテンプルが金及び銀のストロー状の中にゲルマニウム及びラジウム粉状の物を挿入する事を特徴とする健康眼鏡。
【請求項７】
眼鏡の構成体の一部であるシリコン製パットに穴を作り，中にゲルマニウム及びラジウム粉状の物を挿入する事を特徴とする健康眼鏡。
【請求項８】
眼鏡の構成体全体を金とゲルマニウム及びラジウムとの含有による物質で構成した事を特徴とする健康眼鏡。
【請求項９】
眼鏡の構成体全体を銀とゲルマニウム及びラジウムとの含有による物質で構成する事を特徴とする健康眼鏡。
【発明の詳細な説明】
【０００１】
［発明の属する技術分野］  本発明はゲルマニウムやラジウムの持つエネルギー反応を眼鏡の構成体の一部に含有させ、又金属を筒状にして、中にゲルマニウムやラジウムを混入させ、そのエネルギーによって、眼の疲れ、鼻の疾患、めまい、肩こり、などの治療や予防に関する健康眼鏡である。
【０００２】
［従来の技術］  従来この種の眼鏡はない。一般的に眼鏡フレームの素材は合金かセルロイド及び金製品、銀製品、鼈甲と単一素材を主としたものである。しかし、マイナスイオンの効果を発揮する半導体のトルマリンを金属に含有させた物を素材とする眼鏡が存在している。トルマリンによる発生エネルギーは微弱で人の生体における異常を整える働きにまでは至っていない。また、ゲルマニウムを半導体と融合させテンプルやブリッジにポイントとして粒状の物を付着させゲルマニウムの効果を明記した特許申請は提出されているが、この種の手法では眼の疲れ、肩こりを和らげる効果に乏しく商品化に至っていない。
【０００３】
他方、眼鏡を使用する人は増え続け、少子高齢化の社会現象と、コンピュータ、ワープロ等のディスプレイ装置を利用する仕事の増加に伴い、眼精疲労、頭痛、肩こりなど、体調不良を訴える人が多く、社会的にも問題である。又、眼鏡を必要とする人は、単に物を見る視力補正、矯正用に眼鏡を使用するのではなく、鼻づまり、花粉症、耳鳴り、肩こり、頭痛、顔の痙攣などの症状を訴える人にも、治癒の効果を引き出す健康器具が望まれていた。
【０００４】
［発明が解決しようとする課題］  しかし、人体の細胞の一つ一つが体内電流のプラスとマイナスの調和からなるバランスで成り立っているが、このバランスが崩れると体内に流れている生体電流が乱れ、眼の疲労、肩こり、頭痛、めまい等が生じます。この軽減のための治療法としては、マッサージ師などの科学的治療に依存するしか方法はない。患者は時間とか、場所の制約を受ける事になる。したがって科学的治療によらないで疲労や疾患を治す事、予防効果を上げる事のできる簡明な健康用具が望まれるところである。
【０００５】
［課題を解決する為の手段］  本発明者等は、上記課題を解決すべく鋭意研究の結果、以下に記載する人体に有効な健康眼鏡を完成した。
（１）眼鏡構成体の一部、モダンにゲルマニウム及びラジウムに他物質（ＣＰ、アセテート）等を融合した新合金を配置した事に特徴をもつ健康眼鏡。
（２）眼鏡構成体の一部の鼻パットにゲルマニウム及びラジウムに他物質（ＣＰ、シリコン）等を融合した新合金を配置した事に特徴をもつ健康眼鏡。
（３）眼鏡構成体の一部テンプルにゲルマニウム及びラジウムに他物質（ＣＰ、アセテート）等を融合した新合金を配置した事に特徴をもつ健康眼鏡。
（４）眼鏡構成体の一部テンプルの内側にゲルマニウム及びラジウムに他物質（ＣＰ、シリコン）等を融合した新合金の塊を配置した事に特徴をもつ健康眼鏡。
（５）眼鏡構成体の一部テンプルの、一般合金をストロー状の筒型にし、その内側にゲルマニウム及びラジウムの粉状のものを挿入した事を特徴とする健康眼鏡。
（６）眼鏡の構成体の一部テンプルの金の素材をストロー状の筒型にし、その中側にゲルマニウム及びラジウムの粉状の物を挿入した事を特徴とする健康眼鏡。
（７）眼鏡の構成体の一部テンプルの銀の素材をストロー状の筒型にし、その中側にゲルマニウム及びラジウムの粉状の物を挿入した事を特徴とする健康眼鏡。
（８）眼鏡の構成体の全素材を金として、その中にゲルマニウム及びラジウムを含有する素材でできた事を特徴とする健康眼鏡。
（９）眼鏡の構成体の全素材を銀として、その中にゲルマニウム及びラジウムを含有する素材でできた事を特徴とする健康眼鏡。
【０００６】
（１０）半導体がゲルマニウム、ラジウム以外のアルミニウム、ジルコニウム、イットリウム、亜鉛のそれぞれの酸化物、窒化物の内から選ばれたいずれか一種又は二種以上である事を特徴とする（５）〜（７）に記載の健康眼鏡。
（１１）半導体がセレン、テルル、ガリウム燐、セレン化亜鉛、硫化亜鉛、セレン化砒素、有機半導体がその複合体のうちから選ばれたいずれか一種又は二種以上である事を特徴とする（１）〜（４）項に記載の健康眼鏡。
【０００７】
［発明の実施の形態］  本願発明者は、ゲルマニウムの持つ半導体物質の特性を医療に活用し、人体のもつ様々な痛みを和らげたり、防止したりする用具として日常、目の視力補正に使用している眼鏡に着目した。
ゲルマニウムは３２番目の元素で、３２個の電子を持つ亜金属の半導体であるが無機ゲルマニウムは、他の金属と融合（融点９２６度）し、接触面の温度が３２度以上になると、一番外側の軌道を回る４個のマイナス電子がそとへとびだす。この電子的特性により接触面の血行が促進され、細胞が活性化され、細胞内の電流バランスを整える。装着している間、少し暖かく感じるのはこの為である。体内の生体電流を活性化させ、血行をよくする事で筋肉のコリ、疲れ、痛みを緩和させる。このことで自然治癒力を高め、疲労物質の蓄積を抑えます。
人間の体内には微量の電流があります。それは、神経細胞の伝達によるもので、体内に異常が発生した時には、異常の信号が流れます。この異常信号こそが、肩こりや腰痛、神経痛などを引き起こす原因です。ゲルマニウム半導体の電位差がこの異常単位を正常にして、細胞の活性化を促すのです。
人間の神経細胞の異常は体全体で異常が発生する場合もあるが、生活習慣的には体の上位部、特に頭部に集中する事が多いと言われている。その顕著なものとしては、コンピューターの使用頻度が増えた社会現象として、目の酷使による眼精疲労やめまい、頭痛、肩こり、鼻炎、顔の痙攣、こめかみの痛みなどがある。この肩から上の部のこりや痛み、その９０％以上が神経細胞の電流の異常現象からきているものだと言われている。この症状に最も効果を発揮するものが、ゲルマニウム半導体をそのままの鉱石で眼鏡の構成体の一部に挿入する健康眼鏡と、ゲルマニウム半導体と他の金属（金、銀、シリコン等）と融合して眼鏡の構成体の一部とした健康眼鏡である。
この健康眼鏡は、眼鏡を装着した時の外観は通常の眼鏡と変わらず、さらに仕事をする時も、レジャーやスポーツをする時も体の抵抗感もない。
【０００８】
［実施例］  以下、本願発明の健康眼鏡の実施例を図に基づいて説明する。図−１は、眼鏡の構成体を示した物である。眼鏡は主に６つの部分からなる。
▲１▼はフロントといい、眼鏡のデザインを決める主要素。▲２▼はブリッジ、主に枠なしフロントの眼鏡を鼻パットのホルダ役をする。▲３▼はチという眼鏡の耐久性のポイントとなる。▲４▼はテンプルデザインと飾りを施す。▲５▼はモダン、直接頭に接する為、材質に気をつかう。▲６▼はパット、鼻に直接触れ、眼鏡の重みを支える為、材質に配慮が必要である。
この中で、▲４▼テンプル▲５▼モダン▲６▼パットの３つ部分が人間の体に触れて眼鏡は通常使用されているものである。この人の体に接触する眼鏡の構成体、▲４▼▲５▼▲６▼の素常使用されているものである。この人の体に接触する眼鏡の構成体、▲４▼▲５▼▲６▼の素材にゲルマニウム、ラジウム鉱物質を含有した金属を使用する健康眼鏡である。図−２−１は、ゲルマニウムの持つ人体電流の調整効果が他金属と融合させる事により失われる事を少しでも避けるために、ゲルマニウム鉱石そのものを▲４▼テンプル、▲６▼鼻パットに挿入するものである。従って、テンプルの形状を図のようにストロー状にし、筒の中にゲルマニウムやラジウムの粉状を入れ眼鏡テンプルとする。鼻パットは図のようにパットの中を空洞にし、その中にゲルマニウム、ラジウムの粉状を入れ、眼鏡パットとするものである。
図−２−２は、ゲルマニウムかラジウムの粉状と他物質との融合した新合金の魂を▲４▼テンプルの内側に貼ったもので、▲５▼モダンの効果と同様のものが得られる。
【０００９】
眼鏡構成体の、▲１▼フロント、▲２▼ブリッジ、▲３▼チ、▲４▼テンプルの素材主に金、銀にゲルマニウム及びラジウムの粉状を融合したもので構成する健康眼鏡を作り出す事ができる。前記した健康眼鏡はすべて、普段眼鏡をかけない人、及び素通しレンズ、レンズなし眼鏡をかければ、眼の疲れの回復または予防、鼻疾患、めまいに有効である。また前記▲４▼テンプル、▲５▼モダン、▲６▼鼻パットはサングラスにおいても同様の効果をもたらす為、ドライバーや趣味、スポーツにおいて使用のサングラス、ゴーグル等に使用する事で治癒、予防効果は大いに期待できるものである。
【００１０】
［発明の効果］  本発明は、眼鏡の持つ使用特性（人の体で頭部に接する唯一の半強制金属）とコンピュータ社会に於ける視神経との関係から、人間の体内電流の調整が可能な物質、ゲルマニウムやラジウム鉱物質の存在による、健康眼鏡を製作提供する事により、多くの眼精疲労、めまい、頭痛、肩こりなどの症状を訴える人の治癒予防を可能にした事である。
【図１】
2004177908.tif 000002
【図−２−１】
2004177908.tif 000003
【図−２−２】
2004177908.tif 000004
【手続補正書】
【提出日】平成15年2月28日(2003.2.28)
【手続補正２】
【補正対象書類名】明細書
【補正対象項目名】図面の簡単な説明
【補正方法】追加
【補正の内容】
【図面の簡単な説明】
【図１】眼鏡の構成体を平面図で見たもので、上段は眼鏡の上部より見た平面図、中段は眼鏡の正面平面図、下段は眼鏡の側面平面図である。外観は一般眼鏡と同じである。
【図２−１】眼鏡の構成体の一部であるテンプルを筒型状にした時の断面図である。また、眼鏡の構成体の一部である鼻パットを空洞にした時の断面図である。
【図２−２】眼鏡の構成体の一部であるテンプルの内側に、ゲルマニウムと他金属との融合した魂を配設した側面図である。
【符号の説明】
［図１］
１  眼鏡フロント        ２  眼鏡ブリッジ
３  眼鏡のチ            ４  眼鏡のテンプル
５  眼鏡のモダン        ６  眼鏡の鼻パット
［図２−１］
４のテンプルの型状      ６の鼻パットの型状
［図２−２］
４のテンプルに魂を配設